(57)【要約】【課題】歩行や走行の際に使用者の足部の動作を適切に補助することが可能な運動用衣服を提供する。【解決手段】運動用タイツ１は、伸縮性を有する生地により形成され、使用者の少なくとも下腿部９６から足部９８までを覆う本体部２と、本体部２よりも大きい弾性率を有する第１足部サポート部３６と、を備える。第１足部サポート部３６は、使用者の下腿部９６から足部９８の下面まで延びている。【選択図】図１
2020153031.tif 000002
【特許請求の範囲】
【請求項１】
使用者の下肢に密着する運動用衣服であって、
伸縮性を有する生地により形成され、前記使用者の少なくとも下腿部から足部までを覆う本体部と、
前記本体部の弾性率よりも大きい弾性率を有する第１足部サポート部と、を備え、
前記第１足部サポート部は、前記使用者の下腿部から足部の下面まで延びていることを特徴とする、運動用衣服。
【請求項２】
前記第１足部サポート部は、前記使用者の足部の下面において、足関節よりも足部の先端部側に配置されている、請求項１に記載の運動用衣服。
【請求項３】
前記第１足部サポート部は、前記使用者の足部の下面において、前記使用者の幅方向に延びている、請求項２に記載の運動用衣服。
【請求項４】
前記第１足部サポート部は、前記使用者の足部の下面において、前記使用者の幅方向外側の端部から離間している、請求項３に記載の運動用衣服。
【請求項５】
前記第１足部サポート部は、前記使用者の膝部側から足部側にかけて、前記使用者の幅方向外側から幅方向内側に向かって延びている、請求項４に記載の運動用衣服。
【請求項６】
前記本体部及び前記第１足部サポート部の伸び率よりも小さい伸び率を有する第２足部サポート部を備え、
前記第２足部サポート部は、前記使用者の下腿部の背面部から踵部を介して足部の下面まで延びている、請求項１から５のいずれか一項に記載の運動用衣服。
【発明の詳細な説明】
【技術分野】
【０００１】
本発明は、使用者の下肢に密着する運動用衣服に関する。
【背景技術】
【０００２】
使用者の運動を補助する運動用衣服が知られている。例えば、特許文献１は、使用者の下肢に密着する運動用タイツを開示している。当該タイツは、使用者の腰部から下腿部までを覆うように構成されており、タイツ部よりも伸び難く縮み易い材料により形成された複数の筋肉サポート部を備えている。各筋肉サポート部が、使用者の骨盤の後傾を抑制したり、筋肉を挟み込んだりすることにより、筋力を十分に発揮できる状態を作ることが可能になる。
【先行技術文献】
【特許文献】
【０００３】
【特許文献１】特開２０１７−３１５５１号
【発明の概要】
【発明が解決しようとする課題】
【０００４】
歩行や走行の際、使用者の脚部は、体重を支持する立脚期と、地面を離れ前方に振り出される遊脚期と、を周期的に繰り返す。特許文献１記載の運動用タイツは、このような動作における足部の補助に関し、改善の余地があった。具体的には、歩行や走行の際、足関節は、立脚期と遊脚期とに応じて底屈と背屈とを周期的に繰り返すが、当該運動用タイツは、この足部の動作を適切に補助するように構成されていない。
【０００５】
本発明は、このような課題を解決するためになされたものであり、歩行や走行の際に使用者の足部の動作を適切に補助することが可能な運動用衣服を提供することを目的とする。
【課題を解決するための手段】
【０００６】
上記課題を解決するために、本発明は、使用者の下肢に密着する運動用衣服であって、
伸縮性を有する生地により形成され、使用者の少なくとも下腿部から足部までを覆う本体部と、本体部の弾性率よりも大きい弾性率を有する第１足部サポート部と、を備え、足部サポート部は、使用者の下腿部から中足部の下面まで延びていることを特徴とする。
【０００７】
以下の説明において、「足部が地面と接する」とは、足部そのものが地面と接する態様のみならず、足部が運動用衣服や靴を介して地面と接する態様も含むものとする。
【０００８】
遊脚期では、前方に振り出した足部が地面と接しないように、足関節を背屈させる必要がある。このため、足関節を背屈させるための足関節回りのモーメント（以下、このモーメントを「足関節背屈モーメント」という。）を発生させる必要がある。
【０００９】
上述した本発明の構成によれば、本体部の弾性率よりも大きい弾性率を有する第１足部サポート部が、使用者の下腿部から足部の下面まで延びている。このため、足部の下面を持ち上げるように第１足部サポート部の弾性力を作用させ、足関節背屈モーメントの発生を補助することが可能になる。この結果、歩行や走行の際に使用者の足部の動作を適切に補助することが可能になる。
【００１０】
本発明において、好ましくは、第１足部サポート部は、使用者の足部の下面において、足関節よりも足部の先端部側に配置されている。
【００１１】
この構成によれば、第１足部サポート部の弾性力により、足関節背屈モーメントの発生をさらに確実に補助することが可能になる。
【００１２】
本発明において、好ましくは、第１足部サポート部は、使用者の足部の下面において、使用者の幅方向に延びている。
【００１３】
この構成によれば、使用者の足部の下面のうち足関節よりも足部の先端部側のみに、第１足部サポート部を容易に配置することが可能になる。この結果、第１足部サポート部の弾性力により、足関節背屈モーメントの発生をさらに確実に補助することが可能になる。
【００１４】
本発明において、好ましくは、第１足部サポート部は、使用者の足部の下面において、使用者の幅方向外側の端部から離間している。
【００１５】
この構成によれば、第１足部サポート部は、使用者の足部の幅方向外側の端部から離間しているため、第１足部サポート部の弾性力による当該端部を持ち上げる作用は軽減される。この結果、立脚時に足部の下面が地面と接している場合に、足部の幅方向外側の端部において使用者の身体を支持しようとする力が阻害されることがない。
【００１６】
本発明において、好ましくは、第１足部サポート部は、使用者の膝部側から足部側にかけて、使用者の幅方向外側から幅方向内側に向かって延びている。
【００１７】
足関節背屈モーメントを発生させる際、前脛骨筋が収縮する。前脛骨筋は、使用者の膝部側から足部側にかけて、使用者の幅方向外側から幅方向内側に向かって延びる筋肉である。本発明の構成によれば、この使用者の前脛骨筋に沿って延びるように第１足部サポート部を配置し、第１足部サポート部の弾性力により前脛骨筋の筋活動を補助することにより、足関節背屈モーメントの発生をさらに確実に補助することが可能になる。
【００１８】
ところで、立脚中期から立脚終期では、使用者の足関節が背屈するとともに、下腿三頭筋により下腿前傾のブレーキングを行う必要がある。下腿三頭筋はアキレス腱に付着しており、踵骨隆起に至る。また、足部の下面側に位置する足底腱膜は、アキレス腱と連続性がある。
【００１９】
そこで、本発明において、好ましくは、運動用衣服は、本体部及び第１足部サポート部の伸び率よりも小さい伸び率を有する第２足部サポート部を備え、第２足部サポート部は、使用者の下腿部の背面部から踵部を介して足部の下面まで延びている。
【００２０】
尚、「伸び率」とは、生地の伸縮性を示す指標の１つであり、ＪＩＳ L １０９６に準じて測定されるものをいう。詳細には、荷重が作用していない状態の生地片の長さをＡとし、規定の荷重が作用している状態の生地片の長さをＢとした場合に、次式で表される。
伸び率＝（Ｂ−Ａ）／Ａ×１００
【００２１】
このように配置された第２足部サポート部は、足関節が背屈する際に伸張し、当該背屈を制動する事ができる。この結果、スムーズな踵離れを促し、使用者の歩幅や歩行速度を向上させることが可能になる。
【発明の効果】
【００２２】
本発明によれば、歩行や走行の際に使用者の足部の動作を適切に補助することが可能な運動用衣服を提供することが可能になる。
【図面の簡単な説明】
【００２３】
【図１】第１実施形態に係る運動用タイツを示す正面図である。
【図２】図１の運動用タイツを示す背面図である。
【図３】図１の運動用タイツを示す側面図である。
【図４】図１のＩＶ−ＩＶ断面を示す断面図である。
【図５】図１の運動用タイツを示す下面図である。
【図６】歩行動作の説明図である。
【図７】足関節周辺の動作の説明図である。
【図８】第２実施形態に係る運動用ソックスを示す正面図である。
【図９】図８の運動用ソックスを示す背面図である。
【図１０】図８の運動用ソックスを示す側面図である。
【図１１】図８の運動用ソックスを示す側面図である。
【発明を実施するための形態】
【００２４】
以下、添付図面を参照しながら実施形態について説明する。説明の理解を容易にするため、各図面において同一の構成要素に対しては同一の符号を付して、重複する説明は省略する。
【００２５】
［第１実施形態］
まず、図１から図５を参照しながら、第１実施形態に係る運動用タイツ１の概要について説明する。運動用タイツ１は、本発明に係る運動用衣服の一例である。図１は、運動用タイツ１を示す正面図である。図２は、図１の運動用タイツ１を示す背面図である。図３は、運動用タイツ１を示す側面図である。図４は、図１のＩＶ−ＩＶ断面を示す断面図である。図５は、運動用タイツ１を示す下面図であり、使用者の右脚部の足部９８の下面に対応する部分のみを示している。
【００２６】
運動用タイツ１は、使用者の身体に密着し、使用者の運動を補助することを目的として構成されている。詳細には、運動用タイツ１は使用者の下半身に密着し、使用者の歩行や走行を補助する。
【００２７】
運動用タイツ１は、本体部２を備えている。本体部２は、使用者の腰部９１から足部９８までを覆うとともに、各部位に密着するように構成されている。本体部２は、伸縮性を有する生地により形成されている。当該生地の伸縮性は、例えば１０％の伸張に要する荷重が０．４Ｎ以下であることが好ましい。
【００２８】
本実施形態の本体部２の生地は編物である。しかしながら、本発明はこれに限定されるものではなく、例えば、通常の衣服に使用される織物を採用することもできる。また、当該生地を構成する繊維も特に限定されないが、例えば、ポリエステル繊維、ポリウレタン繊維、アセテート繊維、コットン繊維、レーヨン繊維、エチレンビニルアルコール繊維、ナイロン繊維等を採用することができる。
【００２９】
ここで、「伸縮性を有する」とは、運動用衣服を構成する生地の伸び率が０％を超えることをいう。前述したように、「伸び率」とは、生地の伸縮性を示す指標の１つであり、ＪＩＳ L １０９６に準じて測定されるものをいう。
【００３０】
また、「密着」とは、後述する各サポート部がその機能を発揮できる程度に、使用者の身体の表面に接していることをいう。
【００３１】
本体部２は、第１本体部２１と、第２本体部２２と、第３本体部２３と、第４本体部２４と、を有している。第１本体部２１は、使用者の腰部９１から鼠径部９２及び臀部９３までを覆うとともに、それらに密着する。第１本体部２１本体部の下端には一対の第２本体部２２が連結されている。第２本体部２２は、使用者の大腿部９４を覆って密着するように形成されている。第２本体部２２の下端には第３本体部２３が連結され、第３本体部２３の下端には第４本体部２４が連結されている。第３本体部２３は使用者の下腿部９６を覆って密着し、第４本体部２４は使用者の足部９８を覆って密着するように形成されている。
【００３２】
運動用タイツ１は、さらに、複数のサポート部を備えている。詳細には、運動用タイツ１は、鼠径部サポート部３１と、大殿筋サポート部３２と、内転筋サポート部３３と、大腿四頭筋サポート部３４と、ハムストリングスサポート部３５と、第１足部サポート部３６と、第２足部サポート部３７と、を備えている。
【００３３】
各サポート部は本体部２と一体的に形成されている。つまり、各サポート部は、本体部２の生地を構成する繊維と同一の繊維により形成されている。各サポート部における繊維の配置パターンは、その周辺の本体部２の部位における繊維の配置パターンと異なっている。これにより、各サポート部は、その周辺の本体部２の部位と異なる機械的特性を発揮する。
【００３４】
本実施形態の各サポート部は、公知のリブ状編み構造又はフロート編み構造を有している。リブ状編み構造を有するサポート部の弾性率は、その周辺の本体部２の部位の弾性率と比較して、大きい。また、フロート編み構造を有するサポート部の伸び率は、その周辺の本体部２の部位の伸び率、及び、リブ状編み構造により構成されたサポート部の伸び率と比較して、小さい。理解を促すため、各図面において、リブ状編み構造を有するサポート部と、フロート編み構造を有するサポート部とは、互いに異なる模様を付されている。
【００３５】
以下、各サポート部について説明する。方向、配置については、運動用タイツ１を着用した使用者が直立している状態を想定して説明する。
【００３６】
＜鼠径部サポート部３１＞
鼠径部サポート部３１は、図１及び図３に示されるように、第１本体部２１の正面部から側面部に亘って設けられている。鼠径部サポート部３１はリブ状編み構造を有しており、帯状に延びる第１部分３１ａ及び第２部分３１ｂを有している。第１部分３１ａは、使用者の左側腹部から右下腹部にかけて延びており、第２部分３１ｂは、使用者の右側腹部から左下腹部にかけて延びている。図１に示されるように、第１部分３１ａ及び第２部分３１ｂは、第１本体部２１の正面部において交差するように配置されており、Ｘ字形状を呈している。鼠径部サポート部３１は、使用者の鼠径部９２の一部と対応する位置に配置されている。
【００３７】
＜大殿筋サポート部３２＞
大殿筋サポート部３２は、図２及び図３に示されるように、第１本体部２１の背面部から側面に亘って設けられている。大殿筋サポート部３２は、フロート編み構造を有しており、帯状に延びる第１部分３２ａ及び第２部分３２ｂを有している。第１部分３２ａ及び第２部分３２ｂは、いずれも円弧状に延びており、図２に示されるように、第１本体部２１の中央部において互いに連結している。また、図３に示されるように、第１部分３２ａ、第２部分３２ｂは、第１本体部２１の側面において鼠径部サポート部３１の第１部分３１ａ、第２部分３１ｂとそれぞれ連結している。大殿筋サポート部３２は、その第１部分３２ａ及び第２部分３２ｂにより、使用者の大殿筋の一部を上下方向に挟むように配置されている。
【００３８】
＜内転筋サポート部３３＞
内転筋サポート部３３は、図１、図２及び図４に示されるように、第２本体部２２の上端から下端に亘って設けられている。内転筋サポート部３３は、リブ状編み構造を有しており、帯状に延びる第１部分３３ａ及び第２部分３３ｂを有している。第１部分３３ａは、第２本体部２２の幅方向内側の部分（つまり、使用者の幅方向内側の部分）に配置されている。第２部分３３ｂは、第１部分３３ａの下端から第２本体部２２の正面部にかけて湾曲するように延びている。第１部分３３ａは、使用者の内転筋の一部と対応する位置に配置されており、第２部分３３ｂは、使用者の膝部９５の近傍まで延びている。
【００３９】
＜大腿四頭筋サポート部３４＞
大腿四頭筋サポート部３４は、図１から図３に示されるように、第２本体部２２の上端から下端に亘って設けられている。大腿四頭筋サポート部３４は、フロート編み構造を有しており、帯状に延びる第１部分３４ａ及び第２部分３４ｂを有している。第１部分３４ａは、第２本体部２２の幅方向外側の部分（つまり、使用者の幅方向外側の部分）に配置されている。第２部分３４ｂは、第１部分３４ａの下端から第２本体部２２の正面部にかけて湾曲するように延び、内転筋サポート部３３の第２部分３３ｂに連結している。第１部分３４ａは、使用者の大腿四頭筋の一部と対応する位置に配置されており、第２部分３４ｂは、使用者の膝部９５の下方まで延びている。
【００４０】
＜ハムストリングスサポート部３５＞
ハムストリングスサポート部３５は、図１から図３に示されるように、第２本体部２２の上端から下端に亘って設けられている。ハムストリングスサポート部３５は、フロート編み構造を有しており、帯状に延びる第１部分３５ａ及び第２部分３５ｂを有している。図２に示されるように、第１部分３５ａは、背面視で垂直方向に対して傾斜するように延びている。詳細には、第１部分３５ａは、使用者の膝部９５（図１参照）側から足部９８側にかけて、使用者の幅方向外側から幅方向内側に向かって延びている。第２部分３５ｂは、第１部分３５ａの下端から使用者の膝部９５の下方まで延びており、内転筋サポート部３３の第２部分３３ｂに連結している。
【００４１】
＜第１足部サポート部３６＞
第１足部サポート部３６は、図１、及び、図３から図５に示されるように、第３本体部２３から第４本体部２４に亘って設けられている。第１足部サポート部３６は、リブ状編み構造を有しており、帯状に延びる第１部分３６ａ及び第２部分３６ｂを有している。
【００４２】
第１足部サポート部３６の第１部分３６ａは、図１に示されるように、正面視で垂直方向に対して傾斜するように延びている。詳細には、第１部分３６ａは、使用者の膝部９５側から足部９８側にかけて、使用者の幅方向外側から幅方向内側に向かって延びている。さらに、第１部分３６ａは、図４に示されるように、使用者の足部９８の幅方向内側まで延びている。
【００４３】
第１足部サポート部３６の第２部分３６ｂは、図５に示されるように、第４本体部２４の下面（つまり、使用者の足部９８の下面）において、使用者の幅方向に延びている。詳細には、第２部分３６ｂは、使用者の足部９８の下面において、足部９８の幅方向内側端部９８ｃから、幅方向外側端部９８ｄに向かって延びている。第２部分３６ｂの先端部は、幅方向外側端部９８ｄから離間している。第２部分３６ｂは、足関節９７よりも足部９８の先端部９８ｂ側に配置されている。換言すれば、第２部分３６ｂは、足部９８の土踏まず９８ｅに対応する位置に配置されている。
【００４４】
＜第２足部サポート部３７＞
第２足部サポート部３７は、図２から図５に示されるように、第３本体部２３から第４本体部２４に亘って設けられている。第２足部サポート部３７は、フロート編み構造を有しており、帯状に延びる第１部分３７ａ、第２部分３７ｂ及び第３部分３７ｃを有している。
【００４５】
第２足部サポート部３７の第１部分３７ａは、図２から図４に示されるように、第３本体部２３の背面部に設けられている。図２に示されるように、第１部分３７ａは、背面視で垂直方向に対して傾斜するように延びている。詳細には、第１部分３７ａは、使用者の膝部９５（図１参照）側から足部９８側にかけて、使用者の幅方向内側から幅方向外側に向かって延びている。
【００４６】
第２足部サポート部３７の第２部分３７ｂは、図２から図４に示されるように、第４本体部２４の背面部に設けられている。第２部分３７ｂの上端は、第１部分３７ａの下端に連結している。図２に示されるように、第２部分３７ｂは、背面視で略垂直に延びている。
【００４７】
第２足部サポート部３７の第３部分３７ｃは、図５に示されるように、第４本体部２４の下面に設けられている。第３部分３７ｃは、その一端が第２部分３７ｂの下端に連結しており、使用者の足部９８の先端部９８ｂに向かって延びている。第３部分３７ｃの他端は、第１足部サポート部３６の第２部分３６ｂに連結している。
【００４８】
次に、図１から図５に加えて図６及び図７を参照しながら、各サポート部に基づく作用効果について説明する。図６は、歩行動作の説明図であり、図７は、足関節９７周辺の動作の説明図である。
【００４９】
人が歩行する際の下肢の動作は、その局面を立脚期と遊脚期とに分けて説明することができる。図６は、人の右脚部の動作に着目して、立脚期と遊脚期とを示している。立脚期は、足部が地面と接している局面であり、遊脚期は、足部が地面から離れている局面である。立脚期は、さらに荷重応答期、立脚中期、及び立脚終期に分けることができる。また、遊脚期は、さらに遊脚前期、遊脚初期、遊脚中期、及び遊脚終期に分けることができる。
【００５０】
また、歩行動作において、足関節９７も周期的に動作する。詳細には、図７に示されるように、足関節９７は、足底方向に屈曲する底屈と、その反対方向に屈曲する背屈と、を繰り返す。
【００５１】
＜鼠径部サポート部３１に基づく作用効果＞
一方の脚部が立脚終期にあるとき、その後の遊脚期において当該脚部を前方に振り出すために、図６に示されるように、股関節回りのモーメントＭ１を発生させる必要がある。立脚終期において股関節が伸展すると、鼠径部サポート部３１が伸張し、元の長さに復元しようとする弾性力が発生する。この結果、鼠径部サポート部３１は、股関節に弾性力を作用させ、モーメントＭ１の発生を補助する。これにより、脚部を前方に振り出すための股関節近傍の筋肉の負担を減らしながらも、脚部の振り出し速度を高めることが可能になる。
【００５２】
＜大殿筋サポート部３２に基づく作用効果＞
一方の脚部が荷重応答期から立脚中期にあるとき、他方の脚部から荷重を受け継いで使用者の身体を支持するために、股関節回りのモーメントＭ２を発生させる必要がある。大殿筋サポート部３２は、使用者の大殿筋を持ち上げることにより大殿筋の筋活動を促し、モーメントＭ２を発生し易くする。これにより、使用者の身体を支持する際の股関節や膝関節の負担を軽減することが可能になる。
【００５３】
＜内転筋サポート部３３に基づく作用効果＞
脚部が立脚終期にあるとき、股関節及び膝関節を伸展させて使用者の身体を前方に推進させるために、膝関節回りのモーメントＭ３を発生させる必要がある。立脚終期において股関節及び膝関節が伸展すると、内転筋サポート部３３が伸張し、元の長さに復元しようとする弾性力が発生する。この結果、内転筋サポート部３３は、モーメントＭ３の発生を補助することが可能になる。
【００５４】
また、前述したように、内転筋サポート部３３は、使用者の膝部９５の近傍まで延びている。このため、脚部が踵部９８ａから地面に接した後、膝部９５の屈曲とともに内転筋サポート部３３が伸張し、元の長さに復元しようとする弾性力が発生する。この結果、膝部９５の屈曲を制動し、使用者の身体を支持しようとするモーメントの発生を補助することが可能になる。
【００５５】
＜大腿四頭筋サポート部３４に基づく作用効果＞
脚部が立脚中期から立脚終期にあるとき、使用者の骨盤を水平に保つためのモーメントを発生させる必要がある。当該モーメントは、股関節回りで、使用者の上半身を使用者の幅方向に作用する。大腿四頭筋サポート部３４は、股関節の内転や、膝関節の内反を抑制することが可能になる。
【００５６】
＜ハムストリングスサポート部３５＞
脚部が遊脚終期にあるとき、前方に降り出した脚部を減速させるために、ハムストリングスに高い筋活動が求められる。ハムストリングスサポート部３５は、遊脚終期に前方への脚部の振り出しに伴って伸張し、元の長さに復元しようとする弾性力を発生させる。この結果、ハムストリングスサポート部３５は、脚部を制動し、ハムストリングスの負担を軽減することが可能になる。
【００５７】
＜第１足部サポート部３６に基づく作用効果＞
脚部が遊脚期にあるとき、前方に振り出した足部９８が地面と接しないように、足関節９７を背屈させる必要がある。このため、足関節９７を背屈させるための足関節背屈モーメントＭ４を発生させる必要がある。
【００５８】
本体部２の弾性率よりも大きい弾性率を有する第１足部サポート部３６は、使用者の下腿部９６から足部９８の下面まで延びている。このため、足部９８の下面を持ち上げるように第１足部サポート部３６の弾性力を作用させ、足関節背屈モーメントＭ４の発生を補助することが可能になる。この結果、歩行や走行の際に使用者の足部９８の動作を適切に補助することが可能になる。
【００５９】
図５に示されるように、第１足部サポート部３６は、使用者の足部９８の下面において、足関節９７よりも足部９８の先端部９８ｂ側に配置されている。
この構成によれば、第１足部サポート部３６の弾性力により、足関節背屈モーメントＭ４の発生をさらに確実に補助することが可能になる。
【００６０】
また、第１足部サポート部３６は、使用者の足部９８の下面において、使用者の幅方向に延びている。
この構成によれば、使用者の足部９８の下面のうち足関節９７よりも足部９８の先端部９８ｂ側のみに、第１足部サポート部３６を容易に配置することが可能になる。この結果、第１足部サポート部３６の弾性力により、足関節背屈モーメントＭ４の発生をさらに確実に補助することが可能になる。
【００６１】
また、第１足部サポート部３６は、使用者の足部９８の下面において、使用者の幅方向外側端部９８ｄから離間している。
この構成によれば、第１足部サポート部３６は、使用者の足部９８の幅方向外側端部９８ｄから離間しているため、第１足部サポート部３６の弾性力により幅方向外側端部９８ｄを持ち上げる作用は軽減される。この結果、立脚時に足部９８の下面が地面と接している場合に、足部９８の幅方向外側端部９８ｄにおいて使用者の身体を支持しようとする力が阻害されることがない。
【００６２】
また、第１足部サポート部３６は、使用者の膝部９５側から足部９８側にかけて、使用者の幅方向外側から幅方向内側に向かって延びている。
足関節背屈モーメントＭ４を発生させる際、前脛骨筋が収縮する。前脛骨筋は、使用者の膝部９５側から足部９８側にかけて、使用者の幅方向外側から幅方向内側に向かって延びる筋肉である。この使用者の前脛骨筋に沿って延びるように第１足部サポート部３６を配置し、第１足部サポート部３６の弾性力により前脛骨筋の筋活動を補助することにより、足関節背屈モーメントＭ４の発生をさらに確実に補助することが可能になる。
【００６３】
＜第２足部サポート部３７に基づく作用効果＞
前述したように、第２足部サポート部３７は、本体部２及び第１足部サポート部３６の伸び率よりも小さい伸び率を有している。また、第２足部サポート部３７は、使用者の下腿部９６の背面部から踵部９８ａを介して足部９８の下面まで延びている。
このように配置された第２足部サポート部３７は、足関節９７が背屈する際に伸張し、当該背屈を制動する事ができる。この結果、スムーズな踵離れを促し、使用者の歩幅や歩行速度を向上させることが可能になる。
【００６４】
［第２実施形態］
次に、第２実施形態に係る運動用ソックス１Ａについて、図８から図１１を参照しながら説明する。この運動用ソックス１Ａは、第１実施形態と同様に、使用者の下肢に密着する。運動用ソックス１Ａは、その本体部２Ａの形状等が第１実施形態と異なる。運動用ソックス１Ａのうち、第１実施形態と同一の構成については同一の符号を付して、説明を適宜省略する。
【００６５】
図８は、運動用ソックス１Ａを示す正面図である。図９は、運動用ソックス１Ａを示す背面図である。図１０及び図１１は、運動用ソックス１Ａを示す側面図であり、使用者の左脚部に対応する部位のみを示している。運動用ソックス１Ａの下面図は図５と同様であるから、ここではその図示を省略する。
【００６６】
運動用ソックス１Ａの本体部２Ａは、第１実施形態における第１本体部２１及び第２本体部２２（図１参照）を有しておらず、第３本体部２３及び第４本体部２４のみを有している。すなわち、本体部２Ａは、使用者の下腿部９６及び足部９８のみを覆って密着するように形成されている。
【００６７】
運動用ソックス１Ａは、第１足部サポート部３６及び第２足部サポート部３７を備えている。第１足部サポート部３６及び第２足部サポート部３７は第１実施形態と同様に作用し、歩行や走行に必要なモーメントの発生を補助することができる。
【００６８】
以上、具体例を参照しつつ本発明の実施形態について説明した。しかし、本発明はこれらの具体例に限定されない。すなわち、これら具体例に、当業者が適宜設計変更を加えたものも、本発明の特徴を備えている限り、本発明の範囲に包含される。
【００６９】
上記実施形態では、各サポート部は本体部と一体的に形成されている。しかしながら、本発明はこの形態に限定されない。例えば、本体部とは機械的特性が異なる帯状の部材を用意するとともに、当該部材を本体部の表面に貼着することにより、各サポート部を構成してもよい。
【００７０】
上記実施形態では、本体部は、使用者の足部の先端部や踵部を覆うように形成されている。しかしながら、本体発明はこの形態に限定されない。例えば、本体部に切り欠きが設けられ、使用者の足部の先端部が露出する形態も、本発明の範囲に包含される。
【符号の説明】
【００７１】
１    運動用タイツ（運動用衣服）
１Ａ  運動用ソックス（運動用衣服）
２    本体部
２Ａ  本体部
３６  第１足部サポート部
３７  第２足部サポート部
９５  膝部
９６  下腿部
９７  足関節
９８  足部
９８ａ  踵部
９８ｂ  足部の先端部
９８ｃ  足部の幅方向内側端部
９８ｄ  足部の幅方向外端部
【図１】
2020153031.tif 000003
【図２】
2020153031.tif 000004
【図３】
2020153031.tif 000005
【図４】
2020153031.tif 000006
【図５】
2020153031.tif 000007
【図６】
2020153031.tif 000008
【図７】
2020153031.tif 000009
【図８】
2020153031.tif 000010
【図９】
2020153031.tif 000011
【図１０】
2020153031.tif 000012
【図１１】
2020153031.tif 000013